【手続補正書】
【提出日】平成15年7月11日(2003.7.11)
【手続補正１】
【補正対象書類名】明細書
【補正対象項目名】発明の名称
【補正方法】変更
【補正の内容】
【発明の名称】復調回路、これを用いた情報記録再生装置、位相復調システム及び位相差除去方法
【手続補正２】
【補正対象書類名】明細書
【補正対象項目名】特許請求の範囲
【補正方法】変更
【補正の内容】
【特許請求の範囲】
【請求項１】
２相位相変調方式を用いてトラックのウォブリングで記録されているメディア上の位置情報を検出する復調回路であって、
前記メディアから得られたウォブリング信号の搬送波を検出する搬送波生成回路と、
この搬送波生成回路の出力信号と９０°の位相差を持ち、かつ、位相の微調整可能な位相比較信号を生成する位相調整回路と、
前記ウォブリング信号と前記位相比較信号との乗算処理を行う乗算器と、
を備え、
前記乗算器の出力レベルから前記ウォブリング信号と前記位相比較信号との位相差を検出するようにした復調回路。
【請求項２】
前記乗算器の出力側に接続された低域検出器を備え、前記位相差の検出は、前記低域検出器により検出される前記乗算器の出力信号の低域成分に基づき行うようにした請求項１記載の復調回路。
【請求項３】
前記乗算器の出力側に接続された積算器を備え、前記位相差の検出は、前記積算器により検出される前記乗算器の出力信号の積算結果に基づき行うようにした請求項１又は２記載の復調回路。
【請求項４】
前記ウォブリング信号の振幅を検出する振幅検出回路と、予め設定された目標振幅に達するゲインを算出してそのゲインを前記位相比較信号に乗算する振幅調整回路と、を備える請求項１，２又は３記載の復調回路。
【請求項５】
２相位相変調方式を用いてトラックのウォブリングで記録されているメディア上の位置情報を検出する復調回路であって、
前記メディアから得られたウォブリング信号の搬送波を検出する搬送波生成回路と、
この搬送波生成回路の出力信号に基づき位相の微調整可能な位相比較信号を生成する位相調整回路と、
この位相比較信号に基づき選択信号を特定のタイミングで出力する選択信号生成回路と、
前記ウォブリング信号と前記位相比較信号との減算演算を行う減算器と、
この減算器の出力を前記選択信号によりオン・オフするスイッチと、
を備え、
前記スイッチの出力レベルから前記ウォブリング信号と前記位相比較信号との位相差を検出するようにした復調回路。
【請求項６】
前記スイッチの出力側に接続された積算器を備え、前記位相差の検出は、前記積算器により検出される前記スイッチの出力の積算結果に基づき行うようにした請求項５記載の復調回路。
【請求項７】
２相位相変調方式を用いてトラックのウォブリングで記録されているメディア上の位置情報を検出する復調回路であって、
前記メディアから得られたウォブリング信号の搬送波を検出する搬送波生成回路と、
この搬送波生成回路の出力信号に基づき位相の微調整可能な位相比較信号を生成する位相調整回路と、
この位相比較信号に基づき選択信号を特定のタイミングで出力する選択信号生成回路と、
前記ウォブリング信号と前記位相比較信号の減算演算を行う減算器と、
この減算器の出力信号を反転する反転回路と、
前記減算器の出力と前記反転回路の出力とを前記選択信号により選択するセレクタと、
を備え、
前記セレクタの出力レベルから前記ウォブリング信号と前記位相比較信号との位相差を検出するようにした復調回路。
【請求項８】
前記セレクタの出力側に接続された積算器を備え、前記位相差の検出は、前記積算器により検出される前記セレクタの出力の積算結果に基づき行うようにした請求項７記載の復調回路。
【請求項９】
前記ウォブリング信号は一定の振幅に制御されている請求項１ないし８の何れか一に記載の復調回路。
【請求項１０】
前記位相差の検出は、ウォブル位相変調フォーマット上、特定の領域で行うようにした請求項１ないし９の何れか一に記載の復調回路。
【請求項１１】
前記特定の領域は、ウォブル位相変調フォーマット上、位相の変化が発生しない領域である請求項１０記載の復調回路。
【請求項１２】
前記位相調整回路は、検出された位相差が０となるように前記位相比較信号の位相を制御する請求項１ないし１１の何れか一に記載の位相復調回路。
【請求項１３】
メディア上に光ビームを集光し、前記メディアからの反射光を受光素子上に集光させる光学系と、
前記受光素子から前記メディア上の情報を検出する再生回路と、
集光された光ビームの前記メディア上の位置データを前記受光素子から検出し、前記位置データに基づき前記メディア上の光ビームの位置を制御するサーボ回路と、
レーザ光の位置を移動させる機構系と
を備え、
請求項１２記載の復調回路を用いて前記メディア上の位置データの検出を行うようにしてなる情報記録再生装置。
【請求項１４】
２相位相変調方式を用いてトラックのウォブリングで記録されているメディア上の位置情報を検出する位相復調システムであって、
前記メディアから得られたウォブリング信号からノイズを取り除くための帯域通過フィルタと、
前記帯域通過フィルタを通過したウォブリング信号の搬送波に基づいて位相比較信号を生成する回路と、
前記メディアから得られたウォブリング信号と前記位相比較信号との位相差が９０°になるように前記位相比較信号の位相を調整する追従システムと、
を備えた位相復調システム。
【請求項１５】
前記追従システムは、前記メディアから得られたウォブリング信号と前記位相比較信号を乗算する乗算器と、
前記乗算器の出力レベルに基づいて前記メディアから得られたウォブリング信号と前記位相比較信号との位相差を検出する検出器と、
を備えた請求項１４に記載の位相復調システム。
【請求項１６】
前記追従システムは、前記メディアから得られたウォブリング信号からノイズを取り除くための低域通過フィルタを備え、前記低域通過フィルタを通過したウォブリング信号と前記位相比較信号との位相差が９０°になるように前記位相比較信号の位相を調整する請求項１４又は１５に記載の位相復調システム。
【請求項１７】
２相位相変調方式を用いてメディア内のトラックにウォブリングで記録されている位相変調成分を抽出するために、帯域通過フィルタを通過した前記ウォブリング信号の搬送波と前記メディアから得られたウォブリング信号の位相差を除去する位相差除去方法であって、
前記帯域通過フィルタを通過したウォブリング信号の搬送波に基づいて位相比較信号生成回路により位相比較信号を生成するステップと、
前記メディアから得られたウォブリング信号と前記位相比較信号との位相差が９０°になるように追従システムにより前記位相比較信号の位相を調整するステップと、
を有する位相差除去方法。
【手続補正３】
【補正対象書類名】明細書
【補正対象項目名】０００１
【補正方法】変更
【補正の内容】
【０００１】
【発明の属する技術分野】
本発明は、トラックに位相変調からなるアドレス情報を含むウォブルを持つＤＶＤ−ＲＷ（Ｄｉｇｉｔａｌ  Ｖｉｄｅｏ  又はＶｅｒｓａｔｉｌｅ  Ｄｉｓｋ−ＲｅＷｒｉｔａｂｌｅ）ディスク等のメディアに対する情報記録再生装置、この装置でのアドレス復調のために用いられる復調回路、位相復調システム及び位相差除去方法に関する。


【手続補正４】
【補正対象書類名】明細書
【補正対象項目名】００３２
【補正方法】変更
【補正の内容】
【００３２】
従って、情報記録再生装置の復調回路として請求項１２記載の復調回路を用いているので、調整工程を省くことができ、安価で、かつ、信頼性の高い装置を作ることができる。
また、請求項１４記載の発明は、２相位相変調方式を用いてトラックのウォブリングで記録されているメディア上の位置情報を検出する位相復調システムであって、前記メディアから得られたウォブリング信号からノイズを取り除くための帯域通過フィルタと、前記帯域通過フィルタを通過したウォブリング信号の搬送波に基づいて位相比較信号を生成する回路と、前記メディアから得られたウォブリング信号と前記位相比較信号との位相差が９０°になるように前記位相比較信号の位相を調整する追従システムと、を備える。
請求項１５記載の発明は、請求項１４に記載の位相復調システムにおいて、前記追従システムは、前記メディアから得られたウォブリング信号と前記位相比較信号を乗算する乗算器と、前記乗算器の出力レベルに基づいて前記メディアから得られたウォブリング信号と前記位相比較信号との位相差を検出する検出器と、を備える。
そして、請求項１６記載の発明は、請求項１４又は１５に記載の位相復調システムにおいて、前記追従システムは、前記メディアから得られたウォブリング信号からノイズを取り除くための低域通過フィルタを備え、前記低域通過フィルタを通過したウォブリング信号と前記位相比較信号との位相差が９０°になるように前記位相比較信号の位相を調整する。
さらに、請求項１７記載の発明は、２相位相変調方式を用いてメディア内のトラックにウォブリングで記録されている位相変調成分を抽出するために、帯域通過フィルタを通過した前記ウォブリング信号の搬送波と前記メディアから得られたウォブリング信号の位相差を除去する位相差除去方法であって、前記帯域通過フィルタを通過したウォブリング信号の搬送波に基づいて位相比較信号生成回路により位相比較信号を生成するステップと、前記メディアから得られたウォブリング信号と前記位相比較信号との位相差が９０°になるように追従システムにより前記位相比較信号の位相を調整するステップと、を有する。